(57)【要約】【課題】複数の電池のそれぞれの情報を簡易にかつ正確に管理する技術を提供する。【解決手段】取得部８２は、複数の電池のそれぞれから、電池の識別情報と、当該電池の第１値とを取得する。管理部７２は、取得部８２において取得した識別情報によって対応づけながら、取得部８２において取得した第１値をもとに、電池の第２値を電池ごとに更新する。管理部７２は、取得部８２において取得した識別情報が未管理である場合、取得部８２において取得した第１値をもとに、電池の第２値を新たに導出する。【選択図】図３
2018011461.tif 000002
【特許請求の範囲】
【請求項１】
複数の電池のそれぞれから、電池の識別情報と、当該電池の第１値とを取得する取得部と、
前記取得部において取得した識別情報によって対応づけながら、前記取得部において取得した第１値をもとに、電池の第２値を電池ごとに更新する管理部とを備え、
前記管理部は、前記取得部において取得した識別情報が未管理である場合、前記取得部において取得した第１値をもとに、電池の第２値を新たに導出することを特徴とする管理装置。
【請求項２】
前記取得部において取得する第１値は、電池の短期的な値であり、
前記管理部において更新する第２値は、電池の長期的な値であることを特徴とする請求項１に記載の管理装置。
【請求項３】
前記取得部において取得されていた第１値が非取得になった場合に、当該第１値に対応した識別情報の電池に関する情報であって、かつ前記管理部において管理している情報を記憶する記憶部をさらに備え、
前記管理部は、前記記憶部において情報を管理している識別情報を前記取得部が取得した場合、当該識別情報の電池に関する情報を前記記憶部から取得することを特徴とする請求項１または２に記載の管理装置。
【請求項４】
電池についての警告を表示する表示部をさらに備え、
前記表示部は、警告に続いて、前記管理部において更新した第２値を電池ごとに表示することを特徴とする請求項１から３のいずれか１項に記載の管理装置。
【請求項５】
複数の電池のそれぞれから、電池の識別情報と、当該電池の第１値とを取得するステップと、
取得した識別情報によって対応づけながら、取得した第１値をもとに、電池の第２値を電池ごとに更新するステップと、
取得した識別情報が未管理である場合、取得した第１値をもとに、電池の第２値を新たに導出するステップをコンピュータに実行させるプログラム。
【発明の詳細な説明】
【技術分野】
【０００１】
本発明は、管理技術に関し、特に蓄電池を管理する管理装置、プログラムに関する。
【背景技術】
【０００２】
複数の電池モジュールのそれぞれの状態を監視する電池監視システムは、各電池モジュールから送信される識別情報を受信すると、電池モジュールの順番に対応づけて識別情報を記憶する。また、電池監視システムは、識別情報を用いて、電池モジュールから送信される電池の状態を示す情報を受信する（例えば、特許文献１参照）。
【先行技術文献】
【特許文献】
【０００３】
【特許文献１】特開２０１４−２０２５８１号公報
【発明の概要】
【発明が解決しようとする課題】
【０００４】
複数の電池の状態を管理する管理装置では、電池の状態を示す情報をそのまま管理するだけではなく、当該情報をもとに別の情報も更新しながら管理する。複数の電池のいずれかを交換した場合、交換した電池に対しては新たに別の情報を導出することが好ましい。一方、複数の電池のいずれかを取り外して、再度取り付けた場合、当該電池に対してはこれまでの別の情報を更新することが好ましい。
【０００５】
本発明はこうした状況に鑑みなされたものであり、その目的は、複数の電池のそれぞれの情報を簡易にかつ正確に管理する技術を提供することにある。
【課題を解決するための手段】
【０００６】
上記課題を解決するために、本発明のある態様の管理装置は、複数の電池のそれぞれから、電池の識別情報と、当該電池の第１値とを取得する取得部と、取得部において取得した識別情報によって対応づけながら、取得部において取得した第１値をもとに、電池の第２値を電池ごとに更新する管理部とを備える。管理部は、取得部において取得した識別情報が未管理である場合、取得部において取得した第１値をもとに、電池の第２値を新たに導出する。
【０００７】
なお、以上の構成要素の任意の組合せ、本発明の表現を方法、装置、システム、コンピュータプログラム、またはコンピュータプログラムを記録した記録媒体などの間で変換したものもまた、本発明の態様として有効である。
【発明の効果】
【０００８】
本発明によれば、複数の電池のそれぞれの情報を簡易にかつ正確に管理できる。
【図面の簡単な説明】
【０００９】
【図１】図１（ａ）−（ｃ）は、本発明の実施例に係る配電システムの構成を示す図である。
【図２】図１（ａ）−（ｃ）の制御装置において選択されるモードの遷移を示す図である。
【図３】図１（ａ）−（ｃ）の蓄電池と管理装置の構成を示す図である。
【図４】図４（ａ）−（ｂ）は、図３の表示部において表示される画面を示す図である。
【図５】図５（ａ）−（ｃ）は、図３の管理部における処理の概要を示す図である。
【図６】図３の管理装置における処理手順を示すフローチャートである。
【発明を実施するための形態】
【００１０】
本発明の実施例を具体的に説明する前に、実施例の概要を説明する。実施例は、複数の電池ユニットが含まれた蓄電池の状態を管理するために、蓄電池に接続される管理装置に関する。蓄電池において複数の電池ユニットは直列に接続される。また、複数の電池ユニットは並列に接続されてもよい。さらに、複数の電池ユニットのそれぞれは、電池ユニットにおける電池の状態を示す情報、例えば電圧値、電流値を取得する。複数の電池ユニットのそれぞれは、管理装置にデイジーチェイン接続されており、取得した情報を管理装置に送信する。
【００１１】
管理装置は、各電池ユニットからの情報（以下、「第１値」という）を受けつけると、第１値を管理するとともに、第１値をもとに第２値を電池ユニットごとに更新する。第２値は、例えば、ＳＯＣ（Ｓｔａｔｅ  Ｏｆ  Ｃｈａｒｇｅ）、ＳＯＨ（Ｓｔａｔｅ  Ｏｆ  Ｃｈａｒｇｅ）、ＦＣＣ（Ｆｕｌｌ  Ｃｈａｒｇｅ  Ｃａｐａｃｉｔｙ）である。そのため、第１値は短期的な状態を示し、第２値は長期的な状態を示すといえる。修理あるいは調整のために電池ユニットが蓄電池から取り外されるが、当該電池ユニットが蓄電池に再度取り付けられた場合に、第２値は、それまでの値を引き継いで更新される方が好ましい。一方、取り外した電池ユニットを別の電池ユニットに取り替えて蓄電池に取り付けた場合は、第２値は新たに導出されるべきである。
【００１２】
これらに対応するために、各電池ユニットには、識別情報として製造番号と製造日が付与されており、管理装置は、各電池ユニットから送信された製造番号を受信する。また、管理装置は、製造番号に対応づけて第１値と第２値とを管理する。蓄電池から取り外された電池ユニットが再度取り付けられた場合、管理装置は、既に管理している製造番号を受信する。管理装置は、当該製造番号に対応した第１値と第２値等の情報を読み出して、第２値を更新する。一方、別の電池ユニットが取り付けられた場合、管理装置は、それまで管理していなかった製造番号を受信する。管理装置は、当該製造番号に対応する第１値と第２値との管理を開始する。
【００１３】
図１（ａ）−（ｃ）は、本発明の実施例に係る配電システム１００の構成を示す。図１（ａ）において配電システム１００は、太陽電池１０、蓄電池１２、パワーコンディショナ１４、分電盤１６、商用電源１８、負荷２０、管理装置２２、第１スイッチＳＷ１、第２スイッチＳＷ２、第３スイッチＳＷ３、第４スイッチＳＷ４、第５スイッチＳＷ５を含む。また、パワーコンディショナ１４は、制御装置３０を含む。ここで、図１（ａ）は、連系運転の場合における配電システム１００の構成に相当する。
【００１４】
商用電源１８は、電力会社からの電力を供給するための交流電源である。太陽電池１０は、光起電力効果を利用し、光エネルギーを直接電力に変換する発電装置である。太陽電池１０として、シリコン太陽電池、さまざまな化合物半導体などを素材にした太陽電池、色素増感型（有機太陽電池）等が使用される。太陽電池１０は、発電した電力を出力する。蓄電池１２は、充電を行うことにより電気を蓄えて電池として使用できるようになり、繰り返し使用することができる２次電池である。蓄電池１２は、太陽電池１０において発電した電力、あるいは商用電源１８からの電力によって充電される。
【００１５】
パワーコンディショナ１４は、直流端側に太陽電池１０を接続する。パワーコンディショナ１４と太陽電池１０との経路は、途中で分岐されており、分岐された経路には、蓄電池１２が接続される。つまり、パワーコンディショナ１４の直流端側には、分岐点を介して、太陽電池１０と蓄電池１２とが配置される。また、パワーコンディショナ１４は、交流端側に分電盤１６経由で商用電源１８を接続する。分電盤１６には、図示しない逆潮流センサが設けられてもよい。逆潮流センサは、分電盤１６から商用電源１８に向かう電力を検出する。これは、蓄電池の放電による電力が分電盤１６から商用電源１８へ向かうことを防止するためである。逆潮流センサにおける検出処理には、公知の技術が使用されればよいので、ここでは、説明を省略する。
【００１６】
負荷２０は、交流駆動型の電気機器である。負荷２０は、パワーコンディショナ１４と分電盤１６との間の経路から分岐された経路に接続される。そのため、パワーコンディショナ１４の交流端側には、分岐点を介して、商用電源１８と負荷２０とが配置される。パワーコンディショナ１４の制御装置３０は、パワーコンディショナ１４に対する太陽電池１０、蓄電池１２、商用電源１８、負荷２０の接続を制御する。この制御のために、第１スイッチＳＷ１、第２スイッチＳＷ２、第３スイッチＳＷ３、第４スイッチＳＷ４、第５スイッチＳＷ５のオン／オフが切り替えられる。
【００１７】
第１スイッチＳＷ１は、パワーコンディショナ１４の直流端側と太陽電池１０との間に配置され、第２スイッチＳＷ２は、パワーコンディショナ１４の直流端側と蓄電池１２との間に配置される。第３スイッチＳＷ３は、パワーコンディショナ１４の交流端側と分電盤１６との間に配置され、第４スイッチＳＷ４は、パワーコンディショナ１４と第３スイッチＳＷ３との経路から分岐した経路に配置される。第５スイッチＳＷ５は、パワーコンディショナ１４と第３スイッチＳＷ３との経路から分岐した経路と、第３スイッチＳＷ３と分電盤１６との経路から分岐した経路と、負荷２０とをつなぐために配置される。
【００１８】
連系運転の場合、第１スイッチＳＷ１から第３スイッチＳＷ３はオンされ、第４スイッチＳＷ４はオフされる。また、第５スイッチＳＷ５は、Ｙ側の端子に接続される。その結果、第５スイッチＳＷ５のＹ側の端子と負荷２０とが接続される。このような形態によって、（１）連系運転における蓄電池１２の充電と（２）連系運転における蓄電池１２の放電は、次のようになされる。
【００１９】
（１）連系運転における蓄電池１２の充電
電力会社が時間帯別電気料金制度を採用している場合、夜間の時間帯の電気料金は、昼間の時間帯の電気料金よりも低く設定される。また、一例として、昼間の時間帯は７時から２３時であり、夜間の時間帯は２３時から翌日の７時というように規定される。そのため、夜間の時間帯において、商用電源１８から供給される電力は、第３スイッチＳＷ３、パワーコンディショナ１４、第２スイッチＳＷ２を介して蓄電池１２に充電される。その際、パワーコンディショナ１４は、商用電源１８から入力した交流電力を直流電力に変換し、直流電力を蓄電池１２に出力する。また、昼間の時間帯において、太陽電池１０が発電した電力は、第１スイッチＳＷ１を介してパワーコンディショナ１４に出力される。太陽電池１０が発電した電力が、負荷２０において消費される電力よりも多い場合、余剰の電力が蓄電池１２に充電される。なお、余剰の電力は売電されてもよい。
【００２０】
（２）連系運転における蓄電池１２の放電
負荷２０において消費される電力が多くなる時間帯において、商用電源１８からの電力の消費を低減するために、蓄電池１２に蓄えられた電力が放電される。放電された電力は、第２スイッチＳＷ２、パワーコンディショナ１４、第３スイッチＳＷ３、第５スイッチＳＷ５を介して、負荷２０に供給される。その際、パワーコンディショナ１４は、蓄電池１２から入力した直流電力を交流電力に変換し、交流電力を第３スイッチＳＷ３に出力する。さらに、商用電源１８からの電力も、分電盤１６、第５スイッチＳＷ５を介して負荷２０に供給されるとともに、太陽電池１０からの電力も負荷２０に供給される。その際、パワーコンディショナ１４は、太陽電池１０から入力した直流電力を交流電力に変換し、交流電力を第３スイッチＳＷ３に出力する。以上の説明のように、パワーコンディショナ１４は、交流電力を直流電力に変換したり、直流電力を交流電力に変換したりするが、これらの変換処理として公知の技術が使用されればよいので、ここでは説明を省略する。
【００２１】
図１（ｂ）は、自立運転の場合における配電システム１００の構成に相当する。商用電源１８が停電になると、連系運転から自立運転への切り替えは自動的になされるものとする。商用電源１８からの電力の供給がなくなった場合、分電盤１６は停電を検出し、停電の検出を制御装置３０に通知する。それに応じて、制御装置３０は、第３スイッチＳＷ３をオンからオフに切り替え、第４スイッチＳＷ４をオフからオンに切り替える。また、制御装置３０は、第５スイッチＳＷ５をＹ側の端子からＸ側の端子に切り替える。その結果、負荷２０は、第５スイッチＳＷ５、第４スイッチＳＷ４を介してパワーコンディショナ１４に接続される。このようにして太陽電池１０からの電力は、パワーコンディショナ１４に出力され、パワーコンディショナ１４からの電力が、負荷２０に供給される。なお、太陽電池１０からの電力よりも、負荷２０において消費される電力が少ない場合、余剰の電力が蓄電池１２に充電される。なお、自立運転の場合において、蓄電池１２は、電力を出力してもよい。放電した電力も、パワーコンディショナ１４に出力され、パワーコンディショナ１４からの電力が、負荷２０に供給される。
【００２２】
図１（ｃ）は、商用運転の場合における配電システム１００の構成に相当する。商用運転とは、自立運転中に、商用電源１８の停電が解消した場合の運転である。特に、商用電源１８の停電が解消しても、連系運転を再開するためには手動操作が必要になるが、商用運転とは、商用電源１８の停電が解消してから手動操作がなされるまでの間の運転に相当する。停電していた商用電源１８からの電力の供給が回復した場合、分電盤１６は、通電を検出し、通電の検出を制御装置３０に通知する。それに応じて、制御装置３０は、第５スイッチＳＷ５をＸ側の端子からＹ側の端子に切り替える。また、制御装置３０は、第１スイッチＳＷ１、第２スイッチＳＷ２、第４スイッチＳＷ４をオンからオフに切り替える。なお、第３スイッチＳＷ３のオフは維持される。その結果、負荷２０は、パワーコンディショナ１４から切り離され、第５スイッチＳＷ５、分電盤１６を介して商用電源１８に接続される。これにより、商用電源１８からの電力は、負荷２０に供給される。さらに、太陽電池１０、蓄電池１２は、互いに切断されるとともに、パワーコンディショナ１４から切り離される。
【００２３】
なお、分電盤１６が通電を検知した場合、制御装置３０は、第１スイッチＳＷ１と第２スイッチＳＷ２とをオンのままにしてもよい。この場合、制御装置３０は、蓄電池１２の電圧値がしきい値以上、あるいはセル電圧がしきい値以上、（Ｓｔａｔｅ  Ｏｆ  Ｃｈａｒｇｅ）がしきい値以上、あるいは最低確保容量以上等である場合に、第１スイッチＳＷ１と第２スイッチＳＷ２とをオフする。
【００２４】
図１（ａ）−（ｃ）において制御装置３０は、配電システム１００における連系運転、自立運転、商用運転間の遷移を制御する。以下では、連系運転、自立運転、商用運転を連系運転モード、自立運転モード、商用運転モードということもある。図２は、制御装置３０において選択されるモードの遷移を示す。制御装置３０は、分電盤１６からの通知が「停電の検出」である場合、自立運転モード５２を選択する。また、自立運転モード５２である場合において、分電盤１６からの通知が「通電の検出」である場合、制御装置３０は商用運転モード５４を選択する。ここでの通電は復電に相当する。さらに、商用運転モード５４である場合において、分電盤１６からの通知が「通電の検出」であり、かつ手動操作がなされた場合、制御装置３０は連系運転モード５０を選択する。なお、商用運転モード５４である場合において、分電盤１６からの通知が「停電の検出」である場合、制御装置３０は自立運転モード５２を選択する。連系運転モード５０である場合に、分電盤１６からの通知が「停電の検出」である場合、前述のごとく、制御装置３０は自立運転モード５２を選択する。
【００２５】
図１（ａ）−（ｃ）において、管理装置２２は、蓄電池１２に接続されて、蓄電池１２の状態を管理する。また、管理装置２２は、パワーコンディショナ１４に接続されてもよいが、ここではその説明を省略する。
【００２６】
図３は、蓄電池１２と管理装置２２の構成を示す。蓄電池１２は、電池ユニット６０と総称される第１電池ユニット６０ａ、第２電池ユニット６０ｂ、第３電池ユニット６０ｃ、第４電池ユニット６０ｄ、第５電池ユニット６０ｅ、第６電池ユニット６０ｆを含む。管理装置２２は、通信部７０、管理部７２、表示部７４、記憶部７６を含み、通信部７０は、要求部８０、取得部８２を含む。
【００２７】
第１電池ユニット６０ａから第６電池ユニット６０ｆは、蓄電池１２において交換可能な電池の単位である。そのため、各電池ユニット６０は、１つの電池によって構成されてもよく、複数の電池が接続されることによって構成されてもよい。後者の場合、電池ユニット６０内の電池の接続は、直列であってもよく、並列であってもよく、それらの組合せであってもよい。図３において第１電池ユニット６０ａから第６電池ユニット６０ｆは、実線で示された電力線により直列に接続される。なお、接続される電池ユニット６０の数は「６」に限定されない。また、複数の電池ユニット６０が並列にも接続されてもよい。
【００２８】
各電池ユニット６０は、電池ユニット６０の状態を示す情報として、電圧値、電流値を取得する。なお、電圧値、電流値の取得には公知の技術が使用されればよいので、ここでは説明を省略する。また、各電池ユニット６０は、製造日と、製造番号を保持する。製造番号と製造日は、識別情報に相当し、電池ユニット６０を識別するために付与される。以下では、説明を簡潔にするために、製造番号を識別情報として説明する。ここで、電圧値、電流値、製造日は、前述の「第１値」と総称される。このように、製造日は、識別情報にも含まれ、第１値にも含まれる。各電池ユニット６０は、製造番号、第１値を送信するための通信機能を備える。図３において第１電池ユニット６０ａから第６電池ユニット６０ｆは、点線で示された通信線によりデイジーチェイン接続される。また、通信線は、管理装置２２の通信部７０にも接続される。
【００２９】
通信部７０において要求部８０は、製造番号と第１値とを各電池ユニット６０に送信させるための要求信号を送信する。送信信号を受信した各電池ユニット６０は、要求された情報を応答信号として送信する。取得部８２は、複数の電池ユニット６０のそれぞれから、応答信号を受信することによって、製造番号と第１値とを取得する。なお、要求信号によって製造番号と第１値とがまとめて要求される必要はなく、別々に要求されてもよい。また、要求部８０が要求信号を送信しなくても、各電池ユニット６０が応答信号を定期的に送信してもよい。さらに、応答信号に、製造番号と第１値とがまとめて含まれていなくてもよく、別々に含まれていてもよい。取得部８２は、製造番号と第１値とを管理部７２に出力する。
【００３０】
管理部７２は、取得部８２から製造番号と第１値とを受けつける。管理部７２は、製造番号に対応づけながら第１値を管理する。これは、電池ユニット６０ごとに第１値を管理することに相当する。また、管理部７２は、製造番号に対応づけながら、第１値のうちの電流値をもとに、ＳＯＣ、ＳＯＨ、ＦＣＣを電池ユニット６０ごとに更新する。例えば、ＳＯＣは、次のように更新される。
ＳＯＣ＝ＳＯＣ０±（Ｑ／ＦＣＣ）×１００・・・（式１）
ここで、ＳＯＣ０は充電／放電開始前のＳＯＣを示し、Ｑは電流積算値を示し、ＦＣＣは満充電容量をそれぞれ示す。また、「＋」は充電を示し、「−」は放電を示す。
【００３１】
また、ＳＯＨ、ＦＣＣは次のように更新される。
ＳＯＨ＝ＦＣＣ／Ｃｄ×１００・・・（式２）
ＦＣＣ＝（Ｑｔ／ΔＳＯＣ）×１００・・・（式３）
Ｃｄは電池の初期容量（設計容量）を示し、ΔＳＯＣはＳＯＣの変化値を示し、ＱｔはΔＳＯＣに要した区間容量（電流積算値）を示す。電流値を受けるとＱが更新されることによって、ＳＯＣが更新される。また、電流値を受け、かつＳＯＣが更新されるとＱｔとΔＳＯＣとが更新されることによって、ＦＣＣが更新される。さらに、ＦＣＣが更新されると、ＳＯＣとＳＯＨとが更新される。このように、第１値における電圧値と電流値は、短い期間において測定されるので、電池ユニット６０の短期的な値であり、第２値におけるＳＯＣ、ＳＯＨ、ＦＣＣは、積算によって更新されるので、電池ユニット６０の長期的な値であるといえる。
【００３２】
また、管理部７２は、製造番号に対応づけながら、第１値のうちの製造日をもとに、製造されてから現在までの経過期間を電池ユニット６０ごとに更新する。このように、第１値における製造日は、電池ユニット６０の短期的な値であり、第２値における経過期間は、電池ユニット６０の長期的な値であるといえる。管理部７２は、製造番号ごとの第１値、第２値を記憶部７６に記憶させる。なお、記憶される情報には、第１値、第２値だけではなく、第２値を更新するために必要なパラメータ、例えば前述のＱ等も含まれる。
【００３３】
管理部７２は、ＳＯＣに対する第１しきい値、ＳＯＨに対する第２しきい値、ＦＣＣに対する第３しきい値、経過期間に対する第４しきい値を予め保持する。管理部７２は、各電池ユニット６０におけるＳＯＣ、ＳＯＨ、ＦＣＣ、経過期間を第１しきい値から第４しきい値と比較する。ＳＯＣが第１しきい値より小さい場合、あるいはＳＯＨが第２しきい値より小さい場合、あるいはＦＣＣが第３しきい値よりも小さい場合、あるいは経過期間が第４しきい値よりも長い場合、管理部７２は、表示部７４に、蓄電池１２についての警告を表示させる。表示部７４は、ディスプレイであり、管理部７２からの指示に応じた文字等を表示する。
【００３４】
図４（ａ）−（ｂ）は、表示部７４において表示される画面を示す。図４（ａ）は、警告を表示している場合であり、「調べて下さい」の文字が表示される。この文字が表示が表示されると、配電システム１００のユーザはサービスマンを呼び出し、サービスマンが管理装置２２を操作する。図３の管理部７２は、サービスマンの操作によって、各電池ユニット６０のＳＯＣ、ＳＯＨ、ＦＣＣ、経過期間を表示部７４に表示させる。図４（ｂ）は、第１電池ユニット６０ａのＳＯＨが示された画面に相当する。サービスマンの操作によって、第１電池ユニット６０ａのＳＯＣ、ＦＣＣ、経過期間も同様に表示されるとともに、第２電池ユニット６０ｂから第６電池ユニット６０ｆのそれぞれに対しても同様の表示がなされる。つまり、表示部７４は、警告に続いて、管理部７２において更新した第２値を電池ユニット６０ごとに表示する。図３に戻る。
【００３５】
サービスマンは、図４（ｂ）の表示を確認することによって、電池ユニット６０の修理あるいは調整等を決定する。その際、サービスマンは、第１電池ユニット６０ａから第２電池ユニット６０ｂを蓄電池１２から取り外して、代替の電池ユニット６０を蓄電池１２に取り付ける。その際の動作を説明するために、ここでは図５（ａ）−（ｃ）を使用する。図５（ａ）−（ｃ）は、管理部７２における処理の概要を示す。図５（ａ）は、取り外し前の電池ユニット６０を示す。ここで、「１」は、第１電池ユニット６０ａを示しており、「２」から「６」も同様である。図５（ｂ）は、取り付けられた代替の電池ユニット６０を示す。「７」から「１２」で示されるように、第７電池ユニット６０ｇから第１２電池ユニット６０ｌが取り付けられる。つまり、すべての電池ユニット６０が取り替えられる。図５（ｃ）は後述し、図３に戻る。
【００３６】
記憶部７６は、取得部８２において取得されていた第１値が非取得になった場合に、当該第１値に対応した製造番号の電池ユニット６０に関する情報であって、かつ管理部７２において管理している情報を記憶する。つまり、記憶部７６は、取り外された第１電池ユニット６０ａから第６電池ユニット６０ｆについての第１値、第２値等の情報を製造番号ごとに記憶する。ここで、記憶部７６は、過去数世代、例えば、３〜４世代の情報を記憶する。取得部８２、管理部７２は、第７電池ユニット６０ｇから第１２電池ユニット６０ｌに対して、前述の処理を新たに実行する。
【００３７】
サービスマンは、蓄電池１２から取り出した電池ユニット６０を工場等に持ち帰って、修理あるいは調整等を実行する。例えば、一部の電池ユニット６０が修理されたり、電池ユニット６０の電圧等を揃えるような調整がなされたりする。また、一部の電池ユニット６０を新たな別の電池ユニット６０に交換することもある。サービスマンは、配電システム１００が設置されている場所に戻り、代替の第７電池ユニット６０ｇから第１２電池ユニット６０ｌを取り外して、修理あるいは調整等を実行した電池ユニット６０を取り付ける。
【００３８】
図５（ｃ）は、取り付けられた電池ユニット６０を示す。「１」、「２」、「４」〜「６」は、取り外し前と同様であるが、「３」が「１３」に交換されている。つまり、第３電池ユニット６０ｃは、第１３電池ユニット６０ｍに交換され、第１電池ユニット６０ａ等はそのまま使用される。このような状況において、取得部８２は、第１電池ユニット６０ａ、第２電池ユニット６０ｂ、第４電池ユニット６０ｄ、第５電池ユニット６０ｅ、第６電池ユニット６０ｆの製造番号を再度取得する。取得部８２は、再度取得した製造番号を管理部７２に出力する。
【００３９】
管理部７２は、再度取得した製造番号、つまり記憶部７６において情報を管理している製造番号を取得部８２から受けつけた場合、当該製造番号の電池に関する情報を記憶部７６から取得する。具体的に説明すると、管理部７２は、第１電池ユニット６０ａ、第２電池ユニット６０ｂ、第４電池ユニット６０ｄ、第５電池ユニット６０ｅ、第６電池ユニット６０ｆのそれぞれに対する第１値、第２値等を記憶部７６から取得する。管理部７２は、記憶部７６から取得した値を使用して、前述のごとく、第２値を電池ユニット６０ごとに更新する。このように、第１電池ユニット６０ａ、第２電池ユニット６０ｂ、第４電池ユニット６０ｄ、第５電池ユニット６０ｅ、第６電池ユニット６０ｆについては以前の情報が引き継がれる。
【００４０】
一方、取得部８２は、第３電池ユニット６０ｃの代わりに第１３電池ユニット６０ｍの製造番号を新たに取得する。取得部８２は、新たに取得した製造番号を管理部７２に出力する。管理部７２は、新たに取得した製造番号、つまり、未管理の製造番号を取得部８２から受けつけた場合、取得部８２において取得した第１値をもとに、第１３電池ユニット６０ｍの第２値を新たに導出する。つまり、未管理の電池ユニット６０が蓄電池１２に取り付けられると、第２値のパラメータが初期値にされる。なお、取得部８２において取得した製造番号が未管理である場合、管理部７２は、ＦＣＣとＳＯＨに関して、初期値してもよい。例えば、ＳＯＨの初期値は１００％であり、ＦＣＣの初期値は固定値である。
【００４１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００４２】
以上の構成による配電システム１００の動作を説明する。図６は、管理装置２２における処理手順を示すフローチャートである。現在挿入されている電池ユニット６０から読み出した製造番号が、記憶部７６に記憶している製造番号に合致する場合（Ｓ１０のＹ）、管理部７２は、第２値のパラメータを引き継ぐ（Ｓ１２）。一方、現在挿入されている電池ユニット６０から読み出した製造番号が、記憶部７６に記憶している製造番号に合致しない場合（Ｓ１０のＮ）、管理部７２は、第２値のパラメータを初期値とする（Ｓ１４）。
【００４３】
本実施例によれば、取得した製造番号によって対応づけながら、取得した第１値をもとに第２値を電池ユニット６０ごとに更新するので、第２値の推定精度を向上できる。また、また、取得した製造番号が未管理である場合、第１値をもとに電池ユニット６０の第２値を新たに導出するので、電池ユニット６０を交換した場合であっても第２値を取得できる。また、製造番号を既に管理しているか否かに応じて、第２値を更新するか、新たに導出するかを変えるので、電池ユニット６０に適した第２値を取得できる。また、第２値を更新するか、新たに導出するかを管理装置２２において判定するので、手動操作を不要にできる。また、手動操作を不要にしながら、電池ユニット６０に適した第２値が取得されるので、複数の電池ユニット６０のそれぞれの情報を簡易にかつ正確に管理できる。また、電池ユニット６０の修理の場合は以前に記憶した情報が引き継がれて使用可能となるが、電池ユニット６０の交換の場合は以前に記憶した情報を初期値にするので、複数の電池ユニット６０のそれぞれの情報を簡易にかつ正確に管理できる。
【００４４】
また、第１値は電池ユニット６０の短期的な値であり、第２値は電池ユニット６０の長期的な値であるので、取得した第１値をもとに第２値を更新できる。また、第１値が非取得になった場合に、当該第１値に対応した製造番号の電池ユニット６０に関する情報を記憶部７６に記憶するので、電池ユニット６０を蓄電池１２から取り外した場合であっても情報を保持できる。また、電池ユニット６０を蓄電池１２から取り外した場合であっても情報が保持されるので、当該電池ユニット６０を蓄電池１２に再度取り付けた場合であっても情報を利用できる。また、電池ユニット６０についての警告を表示してから、第２値を電池ユニット６０ごとに表示するので、表示する情報の詳細度を段階的に変更できる。また、表示する情報の詳細度が段階的に変更されるので、ユーザ、サービスマンによる確認の利便性を向上できる。
【００４５】
本発明の一態様の概要は、次の通りである。本発明のある態様の管理装置２２は、複数の電池ユニット６０のそれぞれから、電池ユニット６０の識別情報と、当該電池ユニット６０の第１値とを取得する取得部８２と、取得部８２において取得した識別情報によって対応づけながら、取得部８２において取得した第１値をもとに、電池ユニット６０の第２値を電池ユニット６０ごとに更新する管理部７２とを備える。管理部７２は、取得部８２において取得した識別情報が未管理である場合、取得部８２において取得した第１値をもとに、電池ユニット６０の第２値を新たに導出する。
【００４６】
取得部８２において取得する第１値は、電池ユニット６０の短期的な値であり、管理部７２において更新する第２値は、電池ユニット６０の長期的な値であってもよい。
【００４７】
取得部８２において取得されていた第１値が非取得になった場合に、当該第１値に対応した識別情報の電池ユニット６０に関する情報であって、かつ管理部７２において管理している情報を記憶する記憶部７６をさらに備えてもよい。管理部７２は、記憶部７６において情報を管理している識別情報を取得部８２が取得した場合、当該識別情報の電池ユニット６０に関する情報を記憶部７６から取得してもよい。
【００４８】
電池ユニット６０についての警告を表示する表示部７４をさらに備えてもよい。表示部７４は、警告に続いて、管理部７２において更新した第２値を電池ユニット６０ごとに表示してもよい。
【００４９】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５０】
本実施例において、蓄電池１２、管理装置２２は、配電システム１００に含まれている。しかしながらこれに限らず例えば、蓄電池１２、管理装置２２は、車両のような、配電システム１００以外の構成に含まれてもよい。本変形例によれば、適用範囲を拡大できる。
【００５１】
本実施例において、発電するために太陽電池１０が設けられている。しかしながらこれに限らず例えば、太陽電池１０以外に、再生可能エネルギー源をもとした電力を生成するための発電装置が設けられてもよい。例えば、風力発電機である。本変形例によれば、配電システム１００の構成の自由度を向上できる。
【００５２】
本実施例において、第１スイッチＳＷ１、第４スイッチＳＷ４が配置されている。しかしながらこれに限らず例えば、これらのスイッチが配置されなくてもよい。本変形例によれば、配電システム１００の構成を簡易にできる。
【００５３】
本実施例において、第１電池ユニット６０ａから第６電池ユニット６０ｆを蓄電池１２から取り外して、代替の第７電池ユニット６０ｇから第１２電池ユニット６０ｌを蓄電池１２に取り付けている。しかしながらこれに限らず例えば、代替の第７電池ユニット６０ｇから第１２電池ユニット６０ｌを蓄電池１２に取り付けなくてもよい。その際、第１電池ユニット６０ａから第６電池ユニット６０ｆのいずれかに修理あるいは調整等が直接実行されて、蓄電池１２が再起動される。ここでも、管理部７２は、製造番号を既に管理しているか否かに応じて、第２値を更新するか、新たに導出するかを変える。本変形例によれば、修理あるいは調整等を迅速に実行できる。
【００５４】
本実施例において、新たな電池ユニット６０が取り付けられると、当該電池ユニット６０の製造番号等は、管理部７２に自動的に管理される。しかしながらこれに限らず例えば、サービスマンあるいはユーザが、新たな電池ユニット６０に関する情報、例えば、ＳＯＣ、ＳＯＨ、ＦＣＣ、製造日等を直接入力してもよい。また、これらの情報が記憶されたパラメータファイルを管理装置２２に読み込ませてもよい。本変形例によれば、構成の自由度を向上できる。
【００５５】
本実施例において、既に管理している電池ユニット６０の情報は記憶部７６から読み出される。しかしながらこれに限らず例えば、サービスマンあるいはユーザが、既に管理している電池ユニット６０に関する情報、例えば、ＳＯＣ、ＳＯＨ、ＦＣＣ、製造日等を直接入力してもよい。また、これらの情報が記憶されたパラメータファイルを管理装置２２に読み込ませてもよい。本変形例によれば、構成の自由度を向上できる。
【符号の説明】
【００５６】
１０  太陽電池、  １２  蓄電池、  １４  パワーコンディショナ、  １６  分電盤、  １８  商用電源、  ２０  負荷、  ２２  管理装置、  ３０  制御装置、  ５０  連系運転モード、  ５２  自立運転モード、  ５４  商用運転モード、  ６０  電池ユニット、  ７０  通信部、  ７２  管理部、  ７４  表示部、  ７６  記憶部、  ８０  要求部、  ８２  取得部、  １００  配電システム。
【図１】
2018011461.tif 000003
【図２】
2018011461.tif 000004
【図３】
2018011461.tif 000005
【図４】
2018011461.tif 000006
【図５】
2018011461.tif 000007
【図６】
2018011461.tif 000008